Podtech/llm-jp-corpus-v4-ja_patent huggingface dataset:
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
機械実行可能命令及びパルスシーケンスコマンドを格納するメモリと、
磁気共鳴イメージングシステムを制御するプロセッサと、
を含み、
前記パルスシーケンスコマンドは、前記磁気共鳴イメージングシステムを制御して、緩和時間を定量的に決定するための定量的磁気共鳴イメージングプロトコルに従って被験者から一連の磁気共鳴データを収集し、前記定量的磁気共鳴イメージングプロトコルは、前記磁気共鳴イメージングシステムを制御して、複数のパルスシーケンス繰り返しを使用して前記一連の磁気共鳴データを収集し、前記複数のパルスシーケンス繰り返しのそれぞれは、傾斜磁場部分、無線周波数部分及び収集部分を含み、前記定量的磁気共鳴イメージングプロトコルは、前記複数のパルスシーケンス繰り返しのうちの少なくとも２つの間に休止サイクルを含み、前記パルスシーケンスコマンドは、前記傾斜磁場部分及び前記収集部分を使用して前記休止サイクル中にノイズ磁気共鳴データを収集し、前記無線周波数部分は、前記ノイズ磁気共鳴データの収集中は無効にされ、
前記機械実行可能命令の実行は更に、前記プロセッサに、
前記パルスシーケンスコマンドで前記磁気共鳴イメージングシステムを制御して、前記一連の磁気共鳴データ及び前記ノイズ磁気共鳴データを収集させ、
前記一連の磁気共鳴データを使用して、前記緩和時間について重み付けされた一連の磁気共鳴画像を再構成させ、
前記ノイズ磁気共鳴データを使用して、ノイズ磁気共鳴画像を再構成させる、磁気共鳴イメージングシステム。
【請求項２】
前記機械実行可能命令の実行は更に、前記プロセッサに、前記ノイズ磁気共鳴画像を空間的に平均化することにより、空間依存ノイズマップを計算させる、請求項１に記載の磁気共鳴イメージングシステム。
【請求項３】
前記空間依存ノイズマップは、ボクセルのカーネルにわたって平均することによって計算される、請求項２に記載の磁気共鳴イメージングシステム。
【請求項４】
前記ボクセルのカーネルが、５０から１００ボクセル、１０１から４００ボクセル、４０１から９００ボクセル及び９０１から１６００ボクセルのうちのいずれか１つを含む、請求項３に記載の磁気共鳴イメージングシステム。
【請求項５】
前記空間依存ノイズマップは更に、前記空間依存ノイズマップを平滑化することによって計算される、請求項２、３又は４に記載の磁気共鳴イメージングシステム。
【請求項６】
前記機械実行可能命令の実行は更に、前記プロセッサに、前記空間依存ノイズマップ及び前記一連の磁気共鳴画像を使用して、空間依存緩和時間マップ及び空間依存エラーマップを計算させ、前記空間依存エラーマップは、空間依存マップの起こりそうなエラーのマッピングである、請求項２に記載の磁気共鳴イメージングシステム。
【請求項７】
前記空間依存緩和時間マップ及び前記空間依存エラーマップは、最尤推定量を使用して計算される、請求項６に記載の磁気共鳴イメージングシステム。
【請求項８】
前記機械実行可能命令の実行は更に、前記プロセッサに、前記空間依存緩和時間マップ及び前記空間依存エラーマップをディスプレイに表示させる、請求項６に記載の磁気共鳴イメージングシステム。
【請求項９】
前記緩和時間は、Ｔ１緩和時間である、請求項１に記載の磁気共鳴イメージングシステム。
【請求項１０】
前記定量的磁気共鳴イメージングプロトコルは、修正ルックロッカーイメージング（ＭＯＬＬＩ）磁気共鳴イメージングプロトコルである、請求項９に記載の磁気共鳴イメージングシステム。
【請求項１１】
前記緩和時間は、Ｔ２緩和時間である、請求項１に記載の磁気共鳴イメージングシステム。
【請求項１２】
前記緩和時間は、Ｔ２＊緩和時間である、請求項１に記載の磁気共鳴イメージングシステム。
【請求項１３】
磁気共鳴イメージングシステムを制御するプロセッサによる実行のための、非一時的コンピュータ可読媒体に記憶された機械実行可能命令を含むコンピュータプログラムであって、
前記機械実行可能命令の実行は、前記プロセッサに、
パルスシーケンスコマンドで前記磁気共鳴イメージングシステムを制御して、一連の磁気共鳴データ及びノイズ磁気共鳴データを収集させ、
前記一連の磁気共鳴データを使用して、緩和時間について重み付けされた一連の磁気共鳴画像を再構成させ、
前記ノイズ磁気共鳴データを使用して、ノイズ磁気共鳴画像を再構成させ、
前記パルスシーケンスコマンドは、前記磁気共鳴イメージングシステムを制御して、前記緩和時間を定量的に決定するための定量的磁気共鳴イメージングプロトコルに従って被験者から前記一連の磁気共鳴データを収集し、前記定量的磁気共鳴イメージングプロトコルは、複数のパルスシーケンス繰り返しを使用して前記一連の磁気共鳴データを収集し、前記複数のパルスシーケンス繰り返しのそれぞれは、傾斜磁場部分、無線周波数部分及び収集部分を含み、前記定量的磁気共鳴イメージングプロトコルは、前記複数のパルスシーケンス繰り返しの少なくとも２つの間に休止サイクルを含み、前記パルスシーケンスコマンドは、前記傾斜磁場部分及び前記収集部分を使用して、前記休止サイクル中にノイズ磁気共鳴データを収集し、前記無線周波数部分は、前記ノイズ磁気共鳴データの収集中は無効にされる、コンピュータプログラム。
【請求項１４】
磁気共鳴イメージングシステムの操作方法であって、
一連の磁気共鳴データ及びノイズ磁気共鳴データを収集するために、パルスシーケンスコマンドで前記磁気共鳴イメージングシステムを制御するステップと、
前記一連の磁気共鳴データを使用して、緩和時間について重み付けされた一連の磁気共鳴画像を再構成するステップと、
前記ノイズ磁気共鳴データを使用して、ノイズ磁気共鳴画像を再構成するステップと、
を含み、
前記パルスシーケンスコマンドは、前記磁気共鳴イメージングシステムを制御して、前記緩和時間を定量的に決定するための定量的磁気共鳴イメージングプロトコルに従って被験者から前記一連の磁気共鳴データを収集し、前記定量的磁気共鳴イメージングプロトコルは、複数のパルスシーケンス繰り返しを使用して前記一連の磁気共鳴データを収集し、前記複数のパルスシーケンス繰り返しのそれぞれは、傾斜磁場部分、無線周波数部分及び収集部分を含み、前記定量的磁気共鳴イメージングプロトコルは、前記複数のパルスシーケンス繰り返しの少なくとも２つの間に休止サイクルを含み、前記パルスシーケンスコマンドは、前記傾斜磁場部分及び前記収集部分を使用して、前記休止サイクル中に前記ノイズ磁気共鳴データを収集し、前記無線周波数部分は、前記ノイズ磁気共鳴データの収集中は無効にされる、方法。
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
接合高さを測定するための接合測定装置であって、
近位接続部材の端部にある細長いセンサ本体と、
前記センサ本体の面を横切るアレイ状の複数のセンサとを備え、
前記複数のセンサの各センサは、心臓弁の一部が前記センサと接触しているかどうかを検出するように構成され、前記複数のセンサは、前記心臓弁の接合高さを評価するために構成されている、接合測定装置。
【請求項２】
複数のセンサが、前記センサ本体の第２の面を横切るように配置される、請求項１に記載の接合測定装置。
【請求項３】
前記複数のセンサの各センサは、前記細長いセンサ本体の幅の少なくとも半分の幅を有する、請求項１または２に記載の接合測定装置。
【請求項４】
前記細長いセンサ本体は可撓性である、請求項１〜３のいずれか１項に記載の接合測定装置。
【請求項５】
前記細長いセンサ本体は、数ミリメートルから数センチメートルの幅である、請求項１〜４のいずれか１項に記載の接合測定装置。
【請求項６】
前記複数のセンサは、抵抗器要素または温度感知要素を含む、請求項１〜５のいずれか１項に記載の接合測定装置。
【請求項７】
前記複数のセンサは、光ファイバ要素または超音波要素を含む、請求項１〜６のいずれか１項に記載の接合測定装置。
【請求項８】
前記アレイはコンデンサアレイである、請求項１〜７のいずれか１項に記載の接合測定装置。
【請求項９】
接合測定システムであって、
請求項１に記載の接合測定装置と、
前記近位接続部材に取り付け可能な延在部材と、
前記延在部材に接続されるハンドルと、
前記接合測定装置に接続されるディスプレイとを備え、前記ディスプレイは、前記接合測定装置のセンサによって検出された情報を示すとともに、前記接合高さを表示するように構成される、接合測定システム。
【請求項１０】
前記延在部材は、可鍛性または屈曲可能である、請求項９に記載の接合測定システム。
【請求項１１】
複数のセンサが、前記センサ本体の第２の面を横切るように配置される、請求項９または１０に記載の接合測定システム。
【請求項１２】
前記複数のセンサの各センサは、前記細長いセンサ本体の幅の少なくとも半分の幅を有する、請求項９〜１１のいずれか１項に記載の接合測定システム。
【請求項１３】
前記細長いセンサ本体は可撓性である、請求項９〜１１のいずれか１項に記載の接合測定システム。
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
近位端から遠位端まで延びる長手方向軸、中心内腔、細長いステント本体の近位端に結合して近位のハブを形成する複数の近位のストラット、および細長いステント本体の遠位端に結合して遠位のハブを形成する複数の遠位のストラットを有する細長いステント本体と、
前記細長いステント本体の遠位方向に位置付けられた遠位の網と、
前記細長いステント本体の近位のハブに結合するプッシャシャフトと、
前記近位のハブ、前記細長いステント本体、および前記遠位のハブの中を通って延び、前記遠位の網に結合するプルワイヤと、
を備える塞栓捕捉デバイスであって、
前記細長いステント本体および前記遠位の網は、互いに独立して展開されるように構成される、塞栓捕捉デバイス。
【請求項２】
前記細長いステント本体は、前記細長いステント本体に沿った複数のクローズドセルをさらに備え、前記クローズドセルのうちの少なくとも１つは、前記細長いステント本体に沿ったクローズドセルのうちの残りのものとは異なるサイズを有する、請求項１に記載の塞栓捕捉デバイス。
【請求項３】
前記細長いステント本体は、前記中心内腔に向かって少なくとも１つの半径方向内向きに曲がるフィンガをさらに備え、前記少なくとも１つの半径方向内向きに曲がるフィンガは、凝血塊を捕捉するように構成される、請求項１に記載の塞栓捕捉デバイス。
【請求項４】
前記デバイスは、前記遠位の網と前記細長いステント本体の遠位端との間に第１の距離を有する第１の構成、および前記遠位の網と前記ステント本体の遠位端との間に第２の距離を有する第２の構成を有する、請求項１に記載の塞栓捕捉デバイス。
【請求項５】
前記デバイスは、前記複数の遠位のストラットに固定式に装着される第２の遠位の網をさらに備える、請求項１に記載の塞栓捕捉デバイス。
【請求項６】
前記デバイスは、前記細長いステント本体の中心内腔の内部に位置付けられた少なくとも１つのメッシュ網をさらに備える、請求項１に記載の塞栓捕捉デバイス。
【請求項７】
前記少なくとも１つのメッシュ網の近位の縁部は、前記細長いステント本体の内側の内腔壁に結合し、前記少なくとも１つのメッシュ網の遠位の先端は、前記細長いステント本体の長手方向軸の近くに位置し、前記プルワイヤは、前記細長いステント本体の中心内腔の内部に位置付けられた少なくとも１つのメッシュ網の遠位の先端の中を通って延びて接続するように構成される、請求項６に記載の塞栓捕捉デバイス。
【請求項８】
前記遠位の網は、略円錐形状を有する、請求項１に記載の塞栓捕捉デバイス。
【請求項９】
前記遠位の網は、わずかに細長いボール形状を有する、請求項１に記載の塞栓捕捉デバイス。
【請求項１０】
前記デバイスは、前記細長いステント本体および前記遠位の網が、しぼんだ遠位の網がしぼんだ細長いステント本体の遠位方向に位置付けられる状態で半径方向にしぼむ第１の構成、および前記細長いステント本体が半径方向に拡張する第２の構成を有する、請求項１に記載の塞栓捕捉デバイス。
【請求項１１】
前記遠位の網は、近位の開口および閉じた遠位端を有するメッシュチューブの形状にあり、かつ、前記デバイスは、前記メッシュチューブが前記細長いステント本体から軸方向にかつ遠位方向に離れる第１の構成、および、前記メッシュチューブが前記細長いステント本体の少なくとも一部の上を摺動して覆う第２の構成を有する、請求項１に記載の塞栓捕捉デバイス。
【請求項１２】
前記遠位の網は、遠位の開口および近位の開口を有するメッシュスリーブの形状にあり、かつ、前記デバイスは、前記メッシュスリーブが前記細長いステント本体から軸方向にかつ遠位方向に離れる第１の構成、および前記メッシュスリーブが前記細長いステント本体の少なくとも一部の上を摺動して覆う第２の構成を有する、請求項１に記載の塞栓捕捉デバイス。
【請求項１３】
前記デバイスは、前記細長いステント本体の周辺壁の同じ区画から、前記中心内腔に向かってある角度で遠位方向にかつ半径方向内向きに延びる少なくとも一組の安定化ストラットをさらに備え、前記少なくとも一組の安定化ストラットの両方の遠位端は、前記細長いステント本体の細長い軸に近い位置で共に結合している、請求項１に記載の塞栓捕捉デバイス。
【請求項１４】
前記プルワイヤは、前記少なくとも一組の安定化ストラットの遠位端に結合し、前記少なくとも一組の安定化ストラットに対して近位方向に引っ張る力を与えるように構成される、請求項１３に記載の塞栓捕捉デバイス。
【請求項１５】
前記デバイスは、少なくとも１つの指向性のストラットをさらに備え、前記指向性のストラットの近位端は、前記プッシャシャフトの遠位端に接続し、前記指向性のストラットの遠位端は、前記プルワイヤの遠位端に接続し、かつ、前記指向性のストラットの中央の結合部は、前記細長いステント本体の内側の周辺壁に装着されており、かつ、前記デバイスは、前記プッシャシャフトの遠位端および前記プルワイヤの遠位端が互いから離れるように動くにつれ、前記少なくとも１つの指向性のストラットがまっすぐになり、前記細長いステント本体が半径方向にしぼむ第１の構成、および、前記プッシャシャフトの遠位端と前記プルワイヤの遠位端が互いに向かって動くにつれ、前記少なくとも１つの指向性のストラットが曲がり、前記細長いステント本体が半径方向に拡張する第２の構成を有する、請求項１に記載の塞栓捕捉デバイス。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
薬剤送達装置であり、
製剤を収容して、放出バルブと、前記製剤が選択的に放出されるバルブ軸経路を形成するバルブ軸とを有するキャニスターと、
乾燥ハウジングとを備えており、
前記乾燥ハウジングは、前記乾燥ハウジングを通して伸びる前記バルブ軸を有する前記キャニスターに取り付けられており、
前記薬剤送達装置は、前記バルブ軸経路と流体連結している前記乾燥ハウジングに設けられている乾燥物質を備える、ことを特徴とする薬剤送達装置。
【請求項２】
前記薬剤送達装置は、
前記製剤が、吸入時、放出される吸入路を含むベースハウジングと、
前記製剤が、吸入時、前記バルブ軸経路を通過した後、放出する前記吸入路と流体連結している放出オリフィスを含むバルブ軸ブロックとを備えており、
前記キャニスター、前記乾燥ハウジング、及び前記乾燥物質は、カートリッジを形成しており、
前記カートリッジは、取り付けられるとき、前記バルブ軸ブロックと係合する前記キャニスターの前記バルブ軸を有する前記ベースハウジングに取り外しできるように取り付けられている、請求項１の薬剤送達装置。
【請求項３】
前記カートリッジが取り付けられるとき、
前記乾燥物質は、前記バルブ軸ブロックの前記放出オリフィスより上方の位置から、前記放出オリフィスより下方の位置まで伸びる、請求項２の薬剤送達装置。
【請求項４】
前記キャニスターの前記バルブ軸は、前記バルブ軸の側面に開口部を含んでおり、
前記バルブ軸が伸長位置にあるとき、前記バルブ軸経路は、前記バルブ軸の前記側面における前記開口部を通して前記乾燥チャンバーと流体連結している、請求項１〜３のいずれかの薬剤送達装置。
【請求項５】
前記キャニスターは、取り外しできるように、前記乾燥ハウジングに取り付けられてもよく、
キャニスター密閉部が、前記薬剤送達装置の外部環境から前記乾燥チャンバーを少なくとも部分的に分離することを助けるため、前記乾燥ハウジングと前記キャニスターとの間に配置されている、請求項１〜４のいずれかの薬剤送達装置。
【請求項６】
前記乾燥ハウジングは、一体的に形成されている軸密閉部を含んでおり、
前記バルブ軸は前記軸密閉部を通して伸びており、
前記軸密閉部は、前記薬剤送達装置の外部環境から前記乾燥チャンバーを少なくとも部分的に分離することを助ける、請求項１〜５のいずれかの薬剤送達装置。
【請求項７】
前記乾燥物質は、環状又は半環状の構成要素である、請求項１〜６のいずれかの薬剤送達装置。
【請求項８】
前記乾燥物質は、前記バルブ軸を部分的に囲み、前記バルブ軸の末端を越えて伸びる半環状の構成要素である、請求項１〜７のいずれかの薬剤送達装置。
【請求項９】
前記乾燥ハウジングと前記乾燥物質は、対応する形状であり、
前記乾燥ハウジングと前記乾燥物質は、それぞれ、前記バルブ軸の末端を越えて伸びる、請求項１〜８のいずれかの薬剤送達装置。
【請求項１０】
前記バルブ軸が押圧されるときを除くと、
前記乾燥物質は、前記キャニスターに収容されている前記製剤の耐用期間にわたって、前記バルブ軸により形成されている少なくとも前記バルブ軸経路から、連続的に液体を取り除くように構成されている、請求項１〜９のいずれかの薬剤送達装置。
【請求項１１】
前記キャニスターの前記バルブ軸が完全に押圧されると、
前記乾燥チャンバーは、前記薬剤送達装置の前記バルブ軸経路と外部環境から分離される、請求項１〜１０のいずれかの薬剤送達装置。
【請求項１２】
前記薬剤送達装置は、
前記製剤が、吸入時、放出される吸入路を含むベースハウジングと、
エアロゾル化物質が、吸入時、放出される吸入路と流体連結しているマウスピース開口部と、
乾燥物質が収容されている前記乾燥ハウジング内の乾燥チャンバーとを備えており、
前記乾燥チャンバーは、少なくとも、エアロゾル送達ユニットが収納形態にあるとき、放出路と流体連結している、請求項１の薬剤送達装置。
【請求項１３】
前記乾燥ハウジングと前記キャニスターは、前記乾燥物質が収容されている前記乾燥チャンバーを形成する、請求項１２の薬剤送達装置。
【請求項１４】
前記薬剤送達装置は、閉位置と開位置との間で移動し得る密閉部材を備えており、
前記閉位置において、前記密閉部材は、前記吸入路から前記放出路を分離するため、前記放出路の放出口を覆い、
前記開位置において、前記放出口は、前記エアロゾル化物質が、前記マウスピース開口部を通して使用者に送達するため、前記放出路から前記吸入路に向けて通過できるように、前記吸入路と流体連結している、請求項１２の薬剤送達装置。
【手続補正書】
【提出日】令和3年10月8日(2021.10.8)
【手続補正１】
【補正対象書類名】特許請求の範囲
【補正対象項目名】請求項１
【補正方法】変更
【補正の内容】
【請求項１】
医療処置中にユーザによって使用されるように構成された多目的医療機器であって、
ハンドルと、
前記ハンドルに動作可能に結合された本体であって、前記本体の長さ方向に延在する中空部を有し、前記本体の少なくとも一部は前記医療処置中にレトラクタとして動作するように構成されている本体と、
前記中空部内に配された吸引通路を有する吸引システムと、
前記本体に結合されており前記医療処置中に前記本体にかかる退避力をセンシングするように構成されたセンシングシステムと、
センシングされた前記退避力に基づいて前記ユーザへフィードバックを提供するように構成された指示部と、
を備えている多目的医療機器において、
前記センシングシステムは、前記退避力がかかる場所に依存せずに前記退避力をセンシングするように構成されていることを特徴とする多目的医療機器。
【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
患者の皮膚に活性化合物を供与することができる活性化合物供与キットであって、 
供与領域で患者の皮膚に経路を提供する装置と、
乾燥形態で提供される活性化合物と 
乾燥活性化合物の液体吸収性キャリヤーから成っていて溶解状態の活性化合物を前記供与領域へ供与する供与デバイス
とから成っており、
前記供与デバイスと皮膚に経路を提供する装置とは、物理的に別個であり、
前記活性化合物は、ニコチンアミド・リボシド（ＮＲ）とニコチンアミド・モノヌクレオチド（ＮＭＮ）の１つ以上を含んでいる
活性化合物供与キット。
【請求項２】
請求項１に記載の活性化合物供与キットであって、前記活性化合物がアスコルビン酸(ビタミンC)、ペプチド、増殖因子、反グリケーション活性物、ビタミン、レチノイド、酸化防止剤、光沢剤及び/又は美白剤、サーチュイン活性化合成物、ポリフェノール及び／又はポリアミンを更に含んでいる活性化合物供与キット。
【請求項３】
請求項１又は２に記載の活性化合物供与キットであって、前記活性化合物が粉末の形態である活性化合物供与キット。
【請求項４】
請求項１乃至３のいずれかに記載の活性化合物供与キットであって、前記供与デバイスがパッチから成っている活性化合物供与キット。
【請求項５】
請求項１乃至４のいずれかに記載の活性化合物供与キットであって、前記供与デバイスが乾燥活性化合物を受入れるための複数の割れ目を有する構造体から成っている活性化合物供与キット。
【請求項６】
請求項１乃至５のいずれかに記載の活性化合物供与キットであって、前記供与デバイスは、第１の部分と第2の部分とから成っており、前記活性化合物が前記第1の部分と前記第２の部分の間に設けられている活性化合物供与キット。
【請求項７】
請求項６に記載の活性化合物供与キットであって、前記第１の部分と第２の部分とが積み重なっている活性化合物供与キット。
【請求項８】
請求項１乃至７のいずれかに記載の活性化合物供与キットであって、前記キッドは、前記活性化合物を水和させ及び/又は溶解して溶解活性化合物を提供するために乾燥形態の活性化合物に液体を分配する液体ディスペンサー装置を更に含んでおり、及び／又は、前記キッドは、生物学的バリアに経路を提供する装置をクリーニングするためにクリーニング装置を更に含んでおり、及び／又は、前記キッドは、前記生物学的バリアに経路を提供する装置と前記供与デバイスを収納するために密封ハウジングを更に含んでいる活性化合物供与キット。
【請求項９】
請求項１乃至８のいずれかに記載の活性化合物供与キットであって、前記活性化合物が一つ以上の活性化合物から成っており、活性化合物の混合物から成っている活性化合物供与キット。
【請求項１０】
請求項９に記載の活性化合物供与キットであって、前記活性化合物が複数の活性化合物成分から成っており、各活性化合物成分は、基体上の別個の領域に配置されている活性化合物供与キット。
【請求項１１】
請求項１乃至１０のいずれかに記載の活性化合物供与キットであって、前記生物学的バリアに経路を提供する装置は、前記生物学的バリアの最外層を傷つけるか切除するよう設けられている活性化合物供与キット。
【請求項１２】
請求項１乃至１１のいずれかに記載の活性化合物供与キットであって、前記生物学的バリアに経路を提供する装置は、前記生物学的バリアに複数の孔を設ける装置から成っている活性化合物供与キット。
【請求項１３】
請求項１２に記載の活性化合物供与キットであって、前記デバイスは、マイクロニードル保持用基体から延びている複数のマイクロニードルを有するマイクロニードル装置から成っており、及び、好ましくは、前記マイクロニードル装置は、パッチから成っている活性化合物供与キット。
【請求項１４】
請求項１３に記載の活性化合物供与キットであって、前記マイクロニードル保持用基体は、第１の側部と第2の相対する側部を有する可撓性の基体であり、各マイクロニードルは、ヘッドと、前記ヘッドから延びて前記生物学的バリアに突き刺さる突起とから成っており、前記突起は、前記第１の側部に向けて前記可撓性の基体を少なくとも部分的に貫通しており、及び／又は、前記マイクロニードル保持用基体から突出しているマイクロニードルの各々の最大縦長さが2ｍｍ未満であり、好ましくは０．５ｍｍ未満であり、さらに好ましくは０．３ｍｍ未満である活性化合物供与キット。
【請求項１５】
請求項１乃至１４のいずれかに記載の活性化合物供与キットであって、前記キットは、第２の供与デバイスを含む複数の供与デバイスを備え、各サブセットは、異なる活性化合物を保持しており、及び／又は、前記キッドは、供与領域に活性化合物を供与した後、前記供与領域に施されるカバーを更に含んでいる活性化合物供与キット。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
がん細胞の増殖を阻害するための組成物において、
遊離アミノ酸の治療上有効な組合せであって、遊離アミノ酸として治療上有効な量のプロリン、セリン、スレオニン、チロシン、バリン、アスパラギン、およびグリシンから本質的になるかもしくはなる、または、遊離アミノ酸として治療上有効な量のプロリン、セリン、スレオニン、チロシン、およびバリンから本質的になるかもしくはなる遊離アミノ酸の治療上有効な組合せと、
任意選択的に、医薬的に許容可能な担体、緩衝液、電解質、アジュバント、または賦形剤と、
を含んでおり、
前記遊離アミノ酸の治療上有効な組合せは、がん細胞の増殖を抑制する、組成物。
【請求項２】
前記遊離アミノ酸の治療上有効な組合せが、プロリン、セリン、スレオニン、チロシン、およびバリンから本質的になるかもしくはなる、請求項１に記載の組成物。
【請求項３】
前記遊離アミノ酸の治療上有効な組合せが、プロリン、セリン、スレオニン、チロシン、バリン、アスパラギン、およびグリシンから本質的になるかもしくはなる、請求項１に記載の組成物。
【請求項４】
前記組成物が、グルタミン酸、グルタミン、アスパラギン酸、アラニン、およびイソロイシンから選択される一つまたは複数の遊離アミノ酸を含まない、あるいは、グルタミン酸、グルタミン、アスパラギン酸、アラニン、およびイソロイシンから選択される一つまたは複数の遊離アミノ酸を無視できる量で含む、請求項１から３のいずれか一項に記載の組成物。
【請求項５】
前記がん細胞がアノクタミン（ＡＮＯ）を発現する、請求項１から４のいずれか一項に記載の組成物。
【請求項６】
前記アノクタミン（ＡＮＯ）がアノクタミン−１（ＡＮＯ−１）である、請求項５に記載の組成物。
【請求項７】
前記がん細胞が、脳腫瘍細胞、上咽頭癌細胞、乳がん細胞、肺がん細胞、異常白血球、異常リンパ球、結腸がん細胞、肝がん細胞、胃がん細胞、食道がん細胞、膀胱がん細胞、または胃がん細胞である、請求項１から６のいずれか一項に記載の組成物。
【請求項８】
前記がん細胞が、乳がん細胞、肺がん細胞、又は大腸がん細胞である、請求項７に記載の組成物。
【請求項９】
前記遊離アミノ酸の治療上有効な組合せの各遊離アミノ酸が、約０．１〜約２．０グラム／リットルの濃度である、請求項１から３または５から８のいずれか一項に記載の組成物。
【請求項１０】
少なくとも一つの追加的な治療剤をさらに含む、請求項１から９のいずれか一項に記載の組成物。
【請求項１１】
約２．０〜約８．５のｐＨを有する、請求項１から１０のいずれか一項に記載の組成物。
【請求項１２】
がんを有する対象に前記組成物を投与するための指示をさらに含む、請求項１から１１のいずれか一項に記載の組成物を含むキット。
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
それを必要とする患者に投与される、グリシン脳症の進行を阻害するための医薬組成物であって、有効量のグリセリルトリベンゾエートを含む医薬組成物。
【請求項２】
1日1回患者に投与される、請求項1に記載の医薬組成物。
【請求項３】
有効量が、50kgの患者に基づいた場合、1日約1.25グラム〜約15グラムである、請求項1又は2に記載の医薬組成物。
【請求項４】
薬学的に許容される担体又は賦形剤をさらに含む、請求項1〜3のいずれか1項に記載の医薬組成物。
【請求項５】
経口投与される、請求項1〜4のいずれか1項に記載の医薬組成物。
【請求項６】
グリセリルジベンゾエートを含む、請求項1〜5のいずれか1項に記載の医薬組成物。
【請求項７】
それを必要とする患者に投与される、グリシン脳症の進行を阻害するための医薬組成物であって、有効量のグリセリルジベンゾエートを含む医薬組成物。
【請求項８】
グリセリルトリベンゾエートを含む、請求項7に記載の医薬組成物。
【請求項９】
1日1回患者に投与される、請求項7又は8に記載の医薬組成物。
【請求項１０】
有効量が、50kgの患者に基づいた場合、1日約1.25グラム〜約15グラムである、請求項7〜9のいずれか1項に記載の医薬組成物。
【請求項１１】
薬学的に許容される担体又は賦形剤をさらに含む、請求項7〜10のいずれか1項に記載の医薬組成物。
【請求項１２】
経口投与される、請求項7〜11のいずれか1項に記載の医薬組成物。
【請求項１３】
それを必要とする患者に投与される、グリシン脳症の進行を阻害するための製剤であって、約1グラム/1mlのグリセリルトリベンゾエートを含む、製剤。
【請求項１４】
持続放出製剤及び遅延放出製剤からなる群から選択される、請求項13に記載の製剤。
【請求項１５】
患者に経口投与される、請求項13又は14に記載の製剤。
【請求項１６】
50kgの患者に基づいた場合、1日約1.25グラム〜約15グラムのグリセリルトリベンゾエートが患者に投与される、請求項13〜15のいずれか1項に記載の製剤。
【手続補正２】
【補正対象書類名】明細書
【補正対象項目名】００３９
【補正方法】変更
【補正の内容】
【００３９】
さらにまた、本発明は、本明細書に記載される種々の実施形態の一部又は全部の、可能なすべての組合せを含む。本明細書に記載される現在好ましい実施形態への種々の変更及び修正が当業者にとって明白であることも理解すべきである。本発明の精神及び範囲から逸脱することなく、また本発明が意図する利点を減ずることなく、このような変更及び修正がなされる可能性がある。したがって、このような変更及び修正が、添付した特許請求の範囲により包含されることが意図している。
以下は、本発明の実施形態の一つである。
（１）グリシン脳症の進行を阻害する方法であって、グリセリルトリベンゾエートを含む有効量の医薬組成物をそれを必要とする患者に投与することを含む方法。
（２）医薬組成物が1日1回患者に投与される、（1）に記載の方法。
（３）有効量が、50kgの患者に基づいた場合、1日約1.25グラム〜約15グラムである、（1）又は（2）に記載の方法。
（４）医薬組成物が、薬学的に許容される担体又は賦形剤と共に製剤化される、（1）〜（3）のいずれかに記載の方法。
（５）医薬組成物が経口投与される、（1）〜（4）のいずれかに記載の方法。
（６）組成物がグリセリルジベンゾエートを含む、（1）〜（5）のいずれかに記載の方法。
（７）グリシン脳症の進行を阻害する方法であって、グリセリルジベンゾエートを含む有効量の医薬組成物をそれを必要とする患者に投与することを含む方法。
（８）組成物がグリセリルトリベンゾエートを含む、（7）に記載の方法。
（９）医薬組成物が1日1回患者に投与される、（7）又は（8）に記載の方法。
（１０）有効量が、50kgの患者に基づいた場合、1日約1.25グラム〜約15グラムである、（7）〜（9）のいずれかに記載の方法。
（１１）医薬組成物が、薬学的に許容される担体又は賦形剤と共に製剤化される、（7）〜（10）のいずれかに記載の方法。
（１２）医薬組成物が経口投与される、（7）〜（11）のいずれかに記載の方法。
（１３）グリシン脳症の進行を阻害するための製剤を使用する方法であって、有効量の製剤をそれを必要とする患者に投与することを含み、製剤が約1グラム/1mlのグリセリルトリベンゾエートを含む、方法。
（１４）製剤が持続放出製剤及び遅延放出製剤からなる群から選択される、（13）に記載の方法。
（１５）製剤が患者に経口投与される、（13）又は（14）に記載の方法。
（１６）50kgの患者に基づいた場合、1日約1.25グラム〜約15グラムのグリセリルトリベンゾエートが患者に投与される、（13）〜（15）のいずれかに記載の方法。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
細長い研磨粒子の製造方法であって、前記方法が、
平行な線状溝を有するモールドを準備することであって、前記平行な線状溝が、横断方向の障害物によって所定の間隔で部分的に中断されている、モールドを準備することと、
前記平行な線状溝の少なくとも一部分を流動性研磨粒子前駆体組成物で充填することであって、前記流動性研磨粒子前駆体組成物が前記平行な線状溝のうちの少なくとも１つの中にある、充填することと、
前記流動性研磨粒子前駆体組成物を少なくとも部分的に乾燥させて、少なくとも部分的に乾燥させた研磨粒子前駆体組成物を形成することと、
前記少なくとも部分的に乾燥させた研磨粒子前駆体組成物を前記モールドから分離することにより、前記横断方向の障害物の間に配接された前記平行な線状溝の部分に対応する形状を有する細長い前駆体研磨粒子を形成することであって、前記所定の間隔が前記細長い前駆体研磨粒子の長さに対応し、前記細長い前駆体研磨粒子の対向する第１及び第２の端部のうちの少なくとも一方が、成形部分及び破断部分の両方を含む、細長い前駆体研磨粒子を形成することと、
前記細長い前駆体研磨粒子を前記細長い研磨粒子に変換することと、を含む、方法。
【請求項２】
前記平行な線状溝が、少なくとも２つの平坦面によって少なくとも部分的に画定され、前記平行な線状溝が、前記少なくとも２つの平坦面のうちの少なくとも一方から延びる横断方向の障害物によって、所定の間隔で部分的に中断されている、請求項１に記載の方法。
【請求項３】
前記平行な線状溝のそれぞれが、２つの平坦面によって少なくとも部分的に画定されている、請求項１又は２に記載の方法。
【請求項４】
前記細長い研磨粒子の対向する前記第１及び第２の端部の両方が、成形部分及び破断部分の両方を含む、請求項１〜３のいずれか一項に記載の方法。
【請求項５】
前記細長い研磨粒子が、αアルミナを含む、請求項１〜４のいずれか一項に記載の方法。
【請求項６】
少なくとも２つの長手方向に配向された連続表面によって境界付けられたセラミック本体と、前記少なくとも２つの長手方向に配向された表面によって分離された第１及び第２の端部とを含む細長い研磨粒子であって、前記第１及び第２の端部のうちの少なくとも一方が、成形部分及び破断部分の両方を含む、細長い研磨粒子。
【請求項７】
前記細長い研磨粒子が、αアルミナを含む、請求項６に記載の細長い研磨粒子。
【請求項８】
前記少なくとも２つの長手方向に配向された連続表面が、３つ又は４つの長手方向に配向された表面を含む、請求項６又は７に記載の細長い研磨粒子。
【請求項９】
前記細長い研磨粒子が、実質的に三角形又は台形の横断面を有する、請求項６〜８のいずれか一項に記載の細長い研磨粒子。
【請求項１０】
前記細長い研磨粒子の対向する前記第１及び第２の端部の両方が、成形部分及び破断部分の両方を含む、請求項６〜９のいずれか一項に記載の方法。
【請求項１１】
前記破断部分が、突出部を含む、請求項６〜１０のいずれか一項に記載の方法。
【請求項１２】
前記細長い研磨粒子が、少なくとも２の長さ対幅比を有する、請求項６〜１１のいずれか一項に記載の細長い研磨粒子。
【請求項１３】
前記細長い研磨粒子が、研磨工業規格の公称等級に適合する、請求項６〜１２のいずれか一項に記載の細長い研磨粒子。
【請求項１４】
少なくとも１つのバインダー中に保持された、請求項６〜１３のいずれか一項に記載の細長い研磨粒子を含む、研磨物品。
【請求項１５】
前記研磨物品が、結合研磨物品を含む、請求項１４に記載の研磨物品。
【手続補正書】
【提出日】令和3年10月1日(2021.10.1)
【手続補正１】
【補正対象書類名】特許請求の範囲
【補正対象項目名】請求項１４
【補正方法】変更
【補正の内容】
【請求項１４】
治療における医薬品として使用するための、請求項１〜１３のいずれか１項に記載の組み合わせ。
【手続補正２】
【補正対象書類名】特許請求の範囲
【補正対象項目名】請求項１５
【補正方法】変更
【補正の内容】
【請求項１５】
結核の治療及び／又は予防のための薬剤の製造のための、請求項１〜１４のいずれか１項に記載の組み合わせ。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
即時放出形態のオピオイド鎮痛薬組成物及び遅延放出形態のゲル化剤組成物を含む固体経口剤形であって、持続放出形態のオピオイド鎮痛薬組成物を含まない、または実質的に含まない、前記固体経口剤形。
【請求項２】
前記オピオイド鎮痛薬が、モルヒネ、ヒドロモルホン、ヒドロコドン、オキシコドン、コデイン、レボルファノール、メペリジン、ジヒドロコデイン、ジヒドロモルヒネ、オキシモルホン、フェンタニル、ブプレノルフィン、その薬学的に許容される塩、その溶媒和物、そのプロドラッグ、及びその混合物からなる群から選択され、鎮痛有効量の前記オピオイド鎮痛薬を含む、請求項１に記載の固体経口剤形。
【請求項３】
室温で０．１Ｎ  ＨＣｌ９００ｍｌ中で、ＵＳＰ  Ａｐｐａｒａｔｕｓ１（＃４０メッシュバスケット）内でインビトロ溶解によって測定すると、６０分以内または４５分以内または３０分以内に前記オピオイド鎮痛薬の少なくとも約８０％、少なくとも約８５％、少なくとも約９０％、または少なくとも約９５％を放出する、請求項１または２に記載の固体経口剤形。
【請求項４】
前記遅延放出ゲル化剤組成物がゲル化剤及び腸溶物質を含む、請求項１〜３のいずれか１項に記載の固体経口剤形。
【請求項５】
前記ゲル化剤が、デンプン、デンプン誘導体、カルボキシメチルセルロースナトリウム、メチルセルロース、ヒドロキシエチルセルロース、ヒドロキシプロピルセルロース、ヒドロキシプロピルメチルセルロース、アタパルガイト、ベントナイト、デキストリン、アルギネート、カラゲナン、トラガカントゴム、アラビアゴム、ガーゴム、ザンサンガム、ペクチン、ゼラチン、カオリン、架橋ポリアクリル酸、多糖、ポリビニルピロリドン、ポリエチレンオキシド、ポリビニルアルコール、及びその混合物からなる群から選択される、請求項４に記載の固体経口剤形。
【請求項６】
ザンサンガム及びカルボマーホモポリマーを含む、請求項５に記載の固体経口剤形。
【請求項７】
前記オピオイド鎮痛薬組成物が１つまたは複数の粒子の形態であり、各オピオイド鎮痛薬粒子が、不活性な核上にコーティングされた前記オピオイド鎮痛薬またはマトリックス物質中に分散した前記オピオイド鎮痛薬を含む、請求項１〜６のいずれか１項に記載の固体経口剤形。
【請求項８】
前記遅延放出ゲル化剤組成物が１つまたは複数の粒子の形態であり、場合により各遅延放出ゲル化剤粒子が（ｉ）前記腸溶物質でコーティングされた前記ゲル化剤、（ｉｉ）前記ゲル化剤でコーティングされ、かつ前記腸溶物質でオーバーコーティングされた不活性な核、または（ｉｉｉ）マトリックス物質中に分散した前記ゲル化剤を含む、請求項４に記載の固体経口剤形。
【請求項９】
前記腸溶物質が約５．５超のｐＨで溶解し、かつ約５．５未満のｐＨでは溶解しない、請求項４〜８のいずれか１項に記載の固体経口剤形。
【請求項１０】
前記腸溶物質が、セルロース系物質、アクリル酸ポリマー、メタクリル酸ポリマー、及びその混合物からなる群から選択される、請求項４〜８のいずれか１項に記載の固体経口剤形。
【請求項１１】
タンパリングされた固体経口剤形から室温で水約０．５ｍｌ〜約１０ｍｌ中で２分目に得られる溶液の粘度が、約５０ｃＰ以上、約７５ｃＰ以上、約１００ｃＰ以上、または約１２５ｃＰ以上であり、または、タンパリングされた固体経口剤形から室温で０．１Ｎ  ＨＣｌ約０．５ｍｌ〜約１０ｍｌ中で５分目に得られる溶液の粘度が、約５０ｃＰ未満、約４０ｃＰ未満、約３０ｃＰ未満、約２０ｃＰ未満、約１０ｃＰ未満、約５ｃＰ未満、または約２ｃＰ未満であり、その際、前記粘度が回転粘度計によって測定される、請求項１〜１０のいずれか１項に記載の固体経口剤形。
【請求項１２】
完全なままの固体経口剤形から室温で水約５ｍｌ中で５分目に得られる溶液の粘度と、完全なままの固体経口剤形から室温で０．１Ｎ  ＨＣｌ約５ｍｌ中で５分目に得られる溶液の粘度との比が約１０：１以上、約１５：１以上、約２０：１以上、約２５：１以上、または約３０：１以上であり、その際、前記粘度が回転粘度計によって測定される、請求項１〜１１のいずれか１項に記載の固体経口剤形。
【請求項１３】
前記オピオイド鎮痛薬組成物および前記遅延放出ゲル化剤組成物の両方が１つまたは複数の粒子の形態であり、前記固体経口剤形が薬学的に許容されるカプセルまたは圧縮錠剤の形態である、請求項１〜１２のいずれか１項に記載の固体経口剤形。
【請求項１４】
疼痛の治療のための、請求項１〜１３のいずれか一項に記載の固体経口剤形。
【請求項１５】
請求項１〜１３のいずれか一項に記載の固体経口剤形を調製するためのプロセスであって、（ｉ）１つまたは複数の粒子を調製すること；（ｉｉ）前記１つまたは複数の粒子をオピオイド鎮痛薬組成物でコーティングすること；及び（ｉｉｉ）オピオイド鎮痛薬組成物でコーティングされた前記１つまたは複数の粒子を遅延放出ゲル化剤組成物とブレンドすることを含み、その際、前記固体経口剤形が、即時放出形態のオピオイド鎮痛薬組成物を含み、かつ前記固体経口剤形が、持続放出形態のオピオイド鎮痛薬組成物を含まない、または実質的に含まない、前記プロセス。 
【請求項１６】
請求項１〜１３のいずれか一項に記載の固体経口剤形を調製するプロセスであって、（ｉ）１つまたは複数の遅延放出ゲル化剤粒子を調製すること；及び（ｉｉ）オピオイド鎮痛薬組成物及び前記１つまたは複数の遅延放出ゲル化剤粒子をマトリックスに分散させることを含み、その際、前記固体経口剤形が即時放出形態のオピオイド鎮痛薬組成物を含み、かつ前記固体経口剤形が持続放出形態のオピオイド鎮痛薬組成物を含まない、または実質的に含まない、前記プロセス。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
ヒト対象において癌を治療するために使用するための、治療上有効な量のポリ［ＡＤＰ−リボース］ポリメラーゼ（ＰＡＲＰ）阻害薬およびプログラム細胞死−１タンパク質（ＰＤ−１）シグナル伝達阻害薬を含んでなる組合せ医薬であって、
前記癌が、下記遺伝子：Ｋｒａｓ、ＰＴＥＮ、ＴＰ５３、Ａｐｃ、ＢＲＣＡ１、もしくはＢＲＣＡ２のうち１以上における１以上の突然変異に関連する、かつ／または、ＬＰＡ１の発現に関連する、組合せ医薬。
【請求項２】
前記癌が、下記遺伝子：Ｋｒａｓ、ＰＴＥＮ、ＴＰ５３、Ａｐｃ、ＢＲＣＡ１、もしくはＢＲＣＡ２のうち２以上における１以上の突然変異に関連する、請求項１に記載の組合せ医薬。
【請求項３】
前記癌が、子宮内膜癌、乳癌、卵巣癌、子宮頸癌、卵管癌、精巣癌、原発性腹膜癌、結腸癌、結腸直腸癌、小腸癌、肛門生殖器領域の扁平上皮癌、黒色腫、腎細胞癌、肺癌、非小細胞肺癌、肺の扁平上皮癌、胃癌、膀胱癌、胆嚢癌、肝臓癌、甲状腺癌、喉頭癌、唾液腺癌、食道癌、頭頸部癌、頭頸部の扁平上皮癌、前立腺癌、膵臓癌、中皮腫、メルケル細胞癌、肉腫、膠芽腫、および血液系癌、例えば、多発性骨髄腫、Ｂ細胞リンパ腫、Ｔ細胞リンパ腫、ホジキンリンパ腫／原発性縦隔Ｂ細胞リンパ腫、および慢性骨髄性白血病からなる群から選択される、請求項１または２に記載の組合せ医薬。
【請求項４】
前記ＰＡＲＰ阻害薬が、ＡＢＴ−７６７、ＡＺＤ２４６１、ＢＧＢ−２９０、ＢＧＰ１５、ＣＥＰ８９８３、ＣＥＰ９７２２、ＤＲ２３１３、Ｅ７０１６、Ｅ７４４９、フルゾパリブ（ＳＨＲ３１６２）、ＩＭＰ４２９７、ＩＮＯ１００１、ＪＰＩ２８９、ＪＰＩ５４７、モノクローナル抗体Ｂ３−ＬｙｓＰＥ４０コンジュゲート、ＭＰ１２４、ニラパリブ（ＺＥＪＵＬＡ）（ＭＫ−４８２７）、ＮＵ１０２５、ＮＵ１０６４、ＮＵ１０７６、ＮＵ１０８５、オラパリブ（ＡＺＤ２２８１）、ＯＮＯ２２３１、ＰＤ１２８７６３、Ｒ５０３、Ｒ５５４、ルカパリブ（ＲＵＢＲＡＣＡ）（ＡＧ−０１４６９９、ＰＦ−０１３６７３３８）、ＳＢＰ１０１、ＳＣ１０１９１４、シムミパリブ、タラゾパリブ（ＢＭＮ−６７３）、ベリパリブ（ＡＢＴ−８８８）、ＷＷ４６、２−（４−（トリフルオロメチル）フェニル）−７，８−ジヒドロ−５Ｈ−チオピラノ［４，３−ｄ］ピリミジン−４−オール、およびそれらの塩からなる群から選択される、請求項１〜３のいずれか一項に記載の組合せ医薬。
【請求項５】
前記ＰＡＲＰ阻害薬が、ニラパリブ、オラパリブ、ルカパリブ、タラゾパリブ、およびベリパリブ、またはそれらの塩からなる群から選択される、請求項１〜４のいずれか一項に記載の組合せ医薬。
【請求項６】
前記ＰＡＲＰ阻害薬が、ニラパリブまたはその塩である、請求項１〜５のいずれか一項に記載の組合せ医薬。
【請求項７】
前記ＰＤ−１シグナル伝達阻害薬が、ＢＧＢ−Ａ３１７、ＢＩ７５４０９１、ＩＢＩ３０８、ＩＮＣＳＨＲ−１２１０、ＪＮＪ−６３７２３２８３、ＪＳ−００１、ＭＥＤＩ−０６８０、ＭＧＡ−０１２、ニボルマブ、ＰＤＲ００１、ペンブロリズマブ、ＰＦ−０６８０１５９１、ＲＥＧＮ−２８１０、およびＴＳＲ−０４２からなる群から選択される抗ＰＤ−１抗体薬である、請求項１〜６のいずれか一項に記載の組合せ医薬。
【請求項８】
前記抗ＰＤ−１抗体薬が、ペンブロリズマブである、請求項７に記載の組合せ医薬。
【請求項９】
前記抗ＰＤ−１抗体薬が、ＴＳＲ−０４２である、請求項７に記載の組合せ医薬。
【請求項１０】
前記ＰＤ−１シグナル伝達阻害薬が、抗ＰＤ−Ｌ１／Ｌ２薬である、請求項１〜６のいずれか一項に記載の組合せ医薬。
【請求項１１】
前記ＰＤ−１シグナル伝達阻害薬が、アテゾリズマブ、アベルマブ、ＣＸ−０７２、デュルバルマブ、ＦＡＺ０５３、ＬＹ３３０００５４、およびＰＤ−Ｌ１ミラモレキュールからなる群から選択される抗ＰＤ−Ｌ１抗体薬である、請求項１０に記載の組合せ医薬。
【請求項１２】
前記対象が、従前に１以上の異なる癌治療法で処置されている、請求項１〜１１のいずれか一項に記載の組合せ医薬。
【請求項１３】
前記対象が、従前に放射線療法、化学療法または免疫療法のうち１以上で処置されている、請求項１２に記載の組合せ医薬。
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
電動自転車用のスマートクランク制御システムであって、該電動自転車が、クランク、及び電動自転車の制御装置に接続された電気モータを備え、該電動自転車の制御装置がスロットルコネクタを備え、
該スマートクランク制御システムが、
該クランクに配設された歪みゲージ；
該クランクに配設され、該歪みゲージに接続された制御盤であって、モーションセンサ、デジタルモーションプロセッサ、及びマイクロコントローラを備える、該制御盤；並びに
該クランクの回転に干渉することなく、該制御盤への電源接続を提供するために該クランクの周りに配設された複数のスリップリングを備え、
該制御盤が、該電動自転車の制御装置の該スロットルコネクタによって該電動自転車の制御装置に接続されており、かつ
該制御盤が、該電動自転車の制御装置のスロットル強度値の形式で出力を該電動自転車の制御装置に送信するように構成されている、前記スマートクランク制御システム。
【請求項２】
前記マイクロコントローラが、前記電動自転車のクランクのクランク速度、クランク位置、及びトルクデータを決定し、前記スロットルコネクタを介して前記電動自転車の制御装置にスロットルデータを報告するように構成されている、請求項１記載のスマートクランクシステム。
【請求項３】
前記マイクロコントローラが、前記スロットルデータをアナログ形式で出力するようにデジタルアナログ変換器を備える、請求項２記載のスマートクランクシステム。
【請求項４】
前記制御盤が、前記スリップリングと前記スロットルコネクタとの間に延在するケーブルを介して該スロットルコネクタに接続されている、請求項１記載のスマートクランクシステム。
【請求項５】
前記制御盤が、無線で前記スロットルコネクタに接続されている、請求項１記載のスマートクランクシステム。
【請求項６】
前記制御盤が、無線トランシーバをさらに備え、前記スマートクランクシステムが、ワイヤを介して前記電動自転車の制御装置のスロットルコネクタに接続された無線トランシーバドングルをさらに備え、該制御盤が、該無線トランシーバドングルに無線接続される、請求項５記載のスマートクランクシステム。
【請求項７】
前記無線トランシーバドングルが、スロットルデータをアナログ形式で前記電動自転車の制御装置に出力することができるように、デジタルアナログ変換器を備える、請求項６記載のスマートクランクシステム。
【請求項８】
前記電動自転車の制御装置が、シリアルポートを備え、かつ前記無線トランシーバドングルが、該シリアルポートに接続されたワイヤを介して該電動自転車の制御装置に接続されている、請求項６記載のスマートクランクシステム。
【請求項９】
前記マイクロコントローラが、前記スロットルデータをアナログ形式で出力するようにデジタルアナログ変換器を備える、請求項１記載のスマートクランクシステム。
【請求項１０】
前記複数のスリップリングのそれぞれ1つと各々接続している複数のポゴピンコネクタをさらに備える、請求項１記載のスマートクランクシステム。
【請求項１１】
電源入力ケーブルが、前記複数のポゴピンコネクタの少なくとも1つに接続されている、請求項１０記載のスマートクランクシステム。
【請求項１２】
データケーブルの第1端部が、前記複数のポゴピンコネクタの1つに接続されている、請求項１０記載のスマートクランクシステム。
【請求項１３】
前記データケーブルの反対側の第2端部が、前記電動自転車の制御装置のスロットルコネクタに接続されている、請求項１２記載のスマートクランクシステム。
【請求項１４】
電動自転車の運転者に電気的ペダル補助を提供する方法であって、該方法が、
該電動自転車のクランクに配設された歪みゲージからのトルクデータを決定すること；
該電動自転車のクランクに提供されたモーションセンサ及びデジタルモーションプロセッサからのクランク速度を決定すること；
該電動自転車のクランクに提供されたモーションセンサ及びデジタルモーションプロセッサからのクランク位置を決定すること；
該運転者の総ペダル踏力値を決定すること；
該電動自転車のクランクの軸の周りに配設されたスリップリングを介してスロットルデータ信号を送ること；及び
該スロットルデータ信号を電動自転車の制御装置のスロットルコネクタを介して該電動自転車の制御装置に伝達することを含み、
該スロットルデータ信号が、該電動自転車の制御装置のスロットル強度値の形式での出力である、前記方法。
【請求項１５】
データケーブルの第1端部をポゴピンコネクタを介して前記スリップリングに接続し、該データケーブルの第2端部を前記電動自転車の制御装置のスロットルコネクタに接続することをさらに含む、請求項１４記載の方法。
【請求項１６】
前記スロットルデータ信号が、アナログデータ信号であり、かつ該スロットルデータ信号が、少なくとも前記運転者の総ペダル踏力値、クランク速度、及びクランク位置に基づいて決定される、請求項１４記載の方法。
【請求項１７】
前記電動自転車の運転者が、逆方向にペダルを回しているかどうかを決定することをさらに含む、請求項１４記載の方法。
【請求項１８】
前記電動自転車の運転者が、該電動自転車の両方のクランクを地面と平行にして休んでいるかどうかを決定することをさらに含む、請求項１４記載の方法。
【請求項１９】
前記電動自転車のクランクが、降りる位置にあるかどうかを決定することをさらに含む、請求項１４記載の方法。
【請求項２０】
クランク；
電気モータ；
該電気モータに接続された電動自転車の制御装置であって、スロットルコネクタを備える、該電動自転車の制御装置；
該クランクに配設された歪みゲージ；
該クランクに配設され、該歪みゲージに接続された制御盤であって、モーションセンサ及びデジタルモーションプロセッサを備える、該制御盤；及び
該制御盤に回転力を結合するために提供された該クランクの周りに配設された複数のスリップリングを含む、電動自転車であって、
該制御盤が、該複数のスリップリング及び該複数のスリップリングと該電動自転車のスロットルコネクタとの間に延在するコンジットを介して該スロットルコネクタによって該電動自転車の制御装置に接続されており、かつ
該制御盤が、該電動自転車の制御装置のスロットル強度値の形式で出力を該電動自転車の制御装置に送信するように構成されている、前記電動自転車。